(57)【要約】【課題】  基板保持用チャックの洗浄・乾燥処理時間の短縮を図ると共に、装置全体のスループットの向上を図れるようにすること。【解決手段】  複数枚のウエハＷを保持する複数の保持溝３１ａを列設する保持部材３１（３２，３３）を具備する基板保持用チャックの洗浄・乾燥装置において、チャック３０の保持部材３１の保持溝３１ａに向かってＮ2ガスと共に純水を噴射する２流体供給ノズル５０と、保持部材３１の側面３１ｂに向かって純水を噴射する洗浄液供給ノズル６０と、２流体供給ノズル５０及び洗浄液供給ノズル６０と、チャック３０の保持部材３１とを相対的に保持部材３１の長手方向に沿う水平方向に移動するエアシリンダ３００とを具備し、エアシリンダ３００の駆動によって２流体供給ノズル５０が洗浄液供給ノズル６０より先にＮ2ガスと共に純水を保持部材３１の保持溝３１ａに向かって噴射するように形成する。【選択図】    図２
2005101524.tif 000002
【特許請求の範囲】
【請求項１】
複数枚の基板を保持する複数の保持溝を列設する保持部材を具備する基板保持用チャックの洗浄・乾燥装置において、
上記基板保持用チャックの保持部材の上記保持溝に向かって気体と共に洗浄液を噴射する２流体供給ノズルと、
上記保持部材の側面に向かって洗浄液を噴射する洗浄液供給ノズルと、
上記２流体供給ノズル及び洗浄液供給ノズルと、上記基板保持用チャックの保持部材とを相対的に保持部材の長手方向に沿う水平方向に移動する移動手段と、を具備し、
上記移動手段の駆動によって上記２流体供給ノズルが洗浄液供給ノズルより先に気体と共に洗浄液を上記保持部材の保持溝に向かって噴射するように形成してなる、
ことを特徴とする基板保持用チャックの洗浄・乾燥装置。
【請求項２】
複数枚の基板を保持する複数の保持溝を列設する保持部材を具備する基板保持用チャックの洗浄・乾燥装置において、
上記基板保持用チャックの保持部材の上記保持溝に向かって気体と共に洗浄液を噴射する２流体供給ノズルと、
上記２流体供給ノズルへの洗浄液と気体の供給を選択的に切り換える切換手段と、
上記保持部材の保持溝及び側面に向かって乾燥ガスを噴射する乾燥ガス供給ノズルと
上記２流体供給ノズル及び乾燥ガス供給ノズルと、上記基板保持用チャックの保持部材とを相対的に保持部材の長手方向に沿う水平方向に移動する移動手段と、
上記切換手段の切換動作及び上記移動手段の移動を制御する制御手段と、を具備し、
上記移動手段の駆動によって、上記２流体供給ノズルから気体と共に洗浄液を上記保持部材の保持溝に向かって噴射して洗浄を行った後、上記切換手段によって上記２流体供給ノズルから気体のみを上記保持部材の保持溝に向かって噴射すると共に、上記乾燥ガス供給ノズルから乾燥ガスを保持部材の保持溝及び側面に噴射して乾燥を行うように形成してなる、
ことを特徴とする基板保持用チャックの洗浄・乾燥装置。
【請求項３】
請求項２記載の基板保持用チャックの洗浄・乾燥装置において、
上記保持部材の側面に向かって洗浄液を噴射する洗浄液供給ノズルを更に具備し、
上記移動手段が、更に上記洗浄液供給ノズルを移動可能に形成してなり、
上記移動手段の駆動によって、上記２流体供給ノズルから気体と共に洗浄液を上記保持部材の保持溝に向かって噴射し、上記洗浄液供給ノズルから洗浄液を保持部材の側面に向かって噴射して洗浄を行った後、上記切換手段によって上記２流体供給ノズルから気体のみを上記保持部材の保持溝に向かって噴射すると共に、上記乾燥ガス供給ノズルから乾燥ガスを保持部材の保持溝及び側面に噴射して乾燥を行うように形成してなる、
ことを特徴とする基板保持用チャックの洗浄・乾燥装置。
【請求項４】
請求項２記載の基板保持用チャックの洗浄・乾燥装置において、
上記保持部材の側面に向かって洗浄液を噴射する洗浄液供給ノズルと、
上記保持部材の保持溝、側面下部及び基端部に向かって乾燥ガスを噴射する二次乾燥ガス供給ノズルと、を更に具備し、
上記移動手段が、更に上記洗浄液供給ノズル及び二次乾燥ガス供給ノズルを移動可能に形成してなり、
上記移動手段の駆動によって、上記２流体供給ノズルから気体と共に洗浄液を上記保持部材の保持溝に向かって噴射し、上記洗浄液供給ノズルから洗浄液を保持部材の側面に向かって噴射して洗浄を行った後、上記切換手段によって上記２流体供給ノズルから気体のみを上記保持部材の保持溝に向かって噴射すると共に、上記乾燥ガス供給ノズルから乾燥ガスを保持部材の保持溝及び側面に噴射し、かつ、上記二次乾燥ガス供給ノズルから乾燥ガスを保持部材の保持溝、側面下部及び基端部に向かって噴射して乾燥を行うように形成してなる、
ことを特徴とする基板保持用チャックの洗浄・乾燥装置。
【請求項５】
請求項４記載の基板保持用チャックの洗浄・乾燥装置において、
上記各ノズルを、移動手段による移動の往移動方向の先端側から基端側に向かって、二次乾燥ガス供給ノズル，乾燥ガス供給ノズル，２流体供給ノズル及び洗浄液供給ノズルの順に配置してなる、
ことを特徴とする基板保持用チャックの洗浄・乾燥装置。
【請求項６】
請求項１ないし４のいずれかに記載の基板保持用チャックの洗浄・乾燥装置において、
上記２流体供給ノズルの外側部に外気吸引通路を設けると共に、この外気吸引通路に連なって保持部材の外側面に沿って気体を案内する気体案内通路を設けてなる、
ことを特徴とする基板保持用チャックの洗浄・乾燥装置。
【請求項７】
請求項１ないし４のいずれかに記載の基板保持用チャックの洗浄・乾燥装置において、
上記２流体供給ノズルを、保持部材の保持溝の溝方向に対して傾斜させて配置してなる、ことを特徴とする基板保持用チャックの洗浄・乾燥装置。
【請求項８】
請求項２ないし４のいずれかに記載の基板保持用チャックの洗浄・乾燥装置において、
上記２流体供給ノズルと気体供給源とを接続する気体供給管路に、切換手段を介設すると共に、圧力調整手段を介設し、
上記制御手段により、上記圧力調整手段の圧力調整を制御可能に形成してなり、
上記２流体供給ノズルから気体と共に洗浄液を供給する際は、上記圧力調整手段によって低圧に調整された気体を上記切換手段によって供給し、２流体供給ノズルから気体のみを供給する際は、上記圧力調整手段によって洗浄液供給時より高圧に調整された気体を供給するように、形成してなる、
ことを特徴とする基板保持用チャックの洗浄・乾燥装置。
【請求項９】
請求項１記載の基板保持用チャックの洗浄・乾燥装置において、
上記２流体供給ノズルに対して少なくとも基板保持用チャックの保持部材への洗浄時の移動方向側に形成され、保持部材が挿通可能な陽圧室と、
上記陽圧室内に向かって気体を噴射する気体噴射ノズルと、
上記気体噴射ノズルと気体供給源とを接続する管路に介設される切換手段と、
上記切換手段の切換動作を制御する制御手段と、を具備し、
上記２流体供給ノズルから気体と共に洗浄液を上記保持部材の保持溝に向かって噴射する間、上記切換手段によって上記気体供給ノズルから上記陽圧室内に気体を噴射して陽圧室内を陽圧状態にするように形成してなる、
ことを特徴とする基板保持用チャックの洗浄・乾燥装置。
【請求項１０】
請求項４記載の基板保持用チャックの洗浄・乾燥装置において、
上記二次乾燥ガス供給ノズルを包囲すると共に、基板保持用チャックの保持部材が挿通可能な陽圧室と、
上記二次乾燥ガス供給ノズルと乾燥ガス供給源とを接続する管路に介設される切換手段と、
上記切換手段の切換動作を制御する制御手段と、を具備し、
２流体供給ノズルから気体と共に洗浄液を上記保持部材の保持溝に向かって噴射する間、上記切換手段によって上記二次乾燥ガス供給ノズルから上記陽圧室内に乾燥ガスを噴射して陽圧室内を陽圧状態にするように形成してなる、
ことを特徴とする基板保持用チャックの洗浄・乾燥装置。
【請求項１１】
複数枚の基板を保持する複数の保持溝を列設する保持部材と、洗浄液を噴射するノズルとを相対的に保持部材の長手方向に沿う水平方向に移動して、保持部材を洗浄及び乾燥する基板保持用チャックの洗浄・乾燥方法において、
洗浄液及び気体を噴射する２流体供給ノズルから気体と共に洗浄液を上記保持部材の保持溝に向かって噴射する保持溝洗浄工程と、
洗浄液を噴射する洗浄液供給ノズルから洗浄液を上記保持部材の側面に噴射する側面洗浄工程と、
を有することを特徴とする基板保持用チャックの洗浄・乾燥方法。
【請求項１２】
請求項１１記載の基板保持用チャックの洗浄・乾燥方法において、
上記２流体供給ノズルから気体を上記保持部材の保持溝に向かって噴射する保持溝乾燥工程と、
乾燥ガスを噴射する乾燥ガス供給ノズルから乾燥ガスを上記保持部材の保持溝及び側面に噴射する乾燥工程と、
を更に有することを特徴とする基板保持用チャックの洗浄・乾燥方法。
【請求項１３】
請求項１１記載の基板保持用チャックの洗浄・乾燥方法において、
上記２流体供給ノズルから気体を上記保持部材の保持溝に向かって噴射する保持溝乾燥工程と、
一次乾燥ガス供給ノズルから乾燥ガスを上記保持部材の保持溝及び側面に噴射する一次乾燥工程と、
二次乾燥ガス供給ノズルから乾燥ガスを上記保持部材の保持溝、側面下部及び基端部に向かって噴射する二次乾燥工程と、
を更に有することを特徴とする基板保持用チャックの洗浄・乾燥方法。
【請求項１４】
請求項１２又は１３記載の基板保持用チャックの洗浄・乾燥方法において、
上記２流体供給ノズルから気体と共に洗浄液を保持部材の保持溝に向かって噴射する保持溝洗浄工程の際の気体の供給圧を、２流体供給ノズルから気体を上記保持部材の保持溝に向かって噴射する保持溝乾燥工程の際の気体の供給圧に対して低圧調整可能にして、洗浄液等の外部への飛散を抑制する、
ことを特徴とする基板保持用チャックの洗浄・乾燥方法。
【請求項１５】
請求項１１ないし１３のいずれかに記載の基板保持用チャックの洗浄・乾燥方法において、
上記２流体供給ノズルに対して少なくとも基板保持用チャックの保持部材への洗浄時の移動方向側に、保持部材が挿通可能な陽圧室を形成し、
上記２流体供給ノズルから気体と共に洗浄液を上記保持部材の保持溝に向かって噴射する保持溝洗浄工程の間、上記陽圧室内に気体を噴射して陽圧室内を陽圧状態にして、洗浄液等の外部への飛散を抑制する、
ことを特徴とする基板保持用チャックの洗浄・乾燥方法。
【発明の詳細な説明】
【技術分野】
【０００１】
この発明は基板保持用チャックの洗浄・乾燥装置及び基板保持用チャックの洗浄・乾燥方法に関するものである。
【背景技術】
【０００２】
一般に、複数枚の例えば半導体ウエハ等の基板を保持して搬送する従来の基板保持用チャックは、少なくとも基板を保持する下部保持部材と、下部保持部材の両側の基板辺部を保持する複数の側部保持部材とを具備しており、各保持部材には複数の保持溝が列設されている。
【０００３】
上記のように構成される基板保持用チャックを洗浄・乾燥する場合、従来においては、洗浄液供給ノズルから洗浄液を基板保持用チャックの保持部材に噴射する工程と、乾燥ガス供給ノズルから乾燥ガスを保持部材に噴射する工程とを、各保持部材すなわち下部保持部材と２本の側部保持部材毎繰り返し行っていた（例えば、特許文献１参照）。
【特許文献１】特開２０００−１２６６８号公報（特許請求の範囲、段落番号００４９、図７）
【発明の開示】
【発明が解決しようとする課題】
【０００４】
しかしながら、従来のこの種の洗浄・乾燥装置（方法）においては、洗浄工程と乾燥工程とを繰り返し行い、しかも、洗浄液供給ノズルと乾燥ガス供給ノズルとは分離されており、洗浄液供給ノズルは洗浄液の供給圧に依存しているため、基板保持用チャックの洗浄・乾燥処理に多くの時間を要するという問題があった。また、基板保持用チャックの洗浄・乾燥処理に多くの時間を要することにより、装置全体のスループットが低下するという問題もあった。
【０００５】
この発明は、上記事情に鑑みてなされたもので、基板保持用チャックの洗浄・乾燥処理時間の短縮を図ると共に、装置全体のスループットの向上を図れるようにした基板保持用チャックの洗浄・乾燥装置及びその方法を提供することを目的とするものである。
【課題を解決するための手段】
【０００６】
上記課題を解決するために、この発明の基板保持用チャックの洗浄・乾燥装置は、複数枚の基板を保持する複数の保持溝を列設する保持部材を具備する基板保持用チャックの洗浄・乾燥装置を前提とし、
請求項１記載の発明は、上記基板保持用チャックの保持部材の上記保持溝に向かって気体と共に洗浄液を噴射する２流体供給ノズルと、  上記保持部材の側面に向かって洗浄液を噴射する洗浄液供給ノズルと、  上記２流体供給ノズル及び洗浄液供給ノズルと、上記基板保持用チャックの保持部材とを相対的に保持部材の長手方向に沿う水平方向に移動する移動手段と、を具備し、  上記移動手段の駆動によって上記２流体供給ノズルが洗浄液供給ノズルより先に気体と共に洗浄液を上記保持部材の保持溝に向かって噴射するように形成してなる、ことを特徴とする。
【０００７】
また、請求項２記載の発明は、上記基板保持用チャックの保持部材の上記保持溝に向かって気体と共に洗浄液を噴射する２流体供給ノズルと、  上記２流体供給ノズルへの洗浄液と気体の供給を選択的に切り換える切換手段と、  上記保持部材の保持溝及び側面に向かって乾燥ガスを噴射する乾燥ガス供給ノズルと、  上記２流体供給ノズル及び乾燥ガス供給ノズルと、上記基板保持用チャックの保持部材とを相対的に保持部材の長手方向に沿う水平方向に移動する移動手段と、  上記切換手段の切換動作及び上記移動手段の移動を制御する制御手段と、を具備し、  上記移動手段の駆動によって、上記２流体供給ノズルから気体と共に洗浄液を上記保持部材の保持溝に向かって噴射して洗浄を行った後、上記切換手段によって上記２流体供給ノズルから気体のみを上記保持部材の保持溝に向かって噴射すると共に、上記乾燥ガス供給ノズルから乾燥ガスを保持部材の保持溝及び側面に噴射して乾燥を行うように形成してなる、ことを特徴とする。
【０００８】
また、請求項３記載の発明は、請求項２記載の発明に加えて、  上記保持部材の側面に向かって洗浄液を噴射する洗浄液供給ノズルを更に具備し、  上記移動手段が、更に上記洗浄液供給ノズルを移動可能に形成してなり、  上記移動手段の駆動によって、上記２流体供給ノズルから気体と共に洗浄液を上記保持部材の保持溝に向かって噴射し、上記洗浄液供給ノズルから洗浄液を保持部材の側面に向かって噴射して洗浄を行った後、上記切換手段によって上記２流体供給ノズルから気体のみを上記保持部材の保持溝に向かって噴射すると共に、上記乾燥ガス供給ノズルから乾燥ガスを保持部材の保持溝及び側面に噴射して乾燥を行うように形成してなる、ことを特徴とする。
【０００９】
また、請求項４記載の発明は、請求項２記載の発明に加えて、  上記保持部材の側面に向かって洗浄液を噴射する洗浄液供給ノズルと、  上記保持部材の保持溝、側面下部及び基端部に向かって乾燥ガスを噴射する二次乾燥ガス供給ノズルと、を更に具備し、  上記移動手段が、更に上記洗浄液供給ノズル及び二次乾燥ガス供給ノズルを移動可能に形成してなり、  上記移動手段の駆動によって、上記２流体供給ノズルから気体と共に洗浄液を上記保持部材の保持溝に向かって噴射し、上記洗浄液供給ノズルから洗浄液を保持部材の側面に向かって噴射して洗浄を行った後、上記切換手段によって上記２流体供給ノズルから気体のみを上記保持部材の保持溝に向かって噴射すると共に、上記乾燥ガス供給ノズルから乾燥ガスを保持部材の保持溝及び側面に噴射し、かつ、上記二次乾燥ガス供給ノズルから乾燥ガスを保持部材の保持溝、側面下部及び基端部に向かって噴射して乾燥を行うように形成してなる、ことを特徴とする。
【００１０】
請求項４記載の発明において、上記各ノズルを、移動手段による移動の往移動方向の先端側から基端側に向かって、二次乾燥ガス供給ノズル，乾燥ガス供給ノズル，２流体供給ノズル及び洗浄液供給ノズルの順に配置する方が好ましい（請求項５）。
【００１１】
請求項１ないし４のいずれかに記載の基板保持用チャックの洗浄・乾燥装置において、上記２流体供給ノズルの外側部に外気吸引通路を設けると共に、この外気吸引通路に連なって保持部材の外側面に沿って気体を案内する気体案内通路を設ける方が好ましい（請求項６）。
【００１２】
また、請求項１ないし４のいずれかに記載の基板保持用チャックの洗浄・乾燥装置において、上記２流体供給ノズルを、保持部材の保持溝の溝方向に対して傾斜させて配置することも可能である（請求項７）。
【００１３】
また、請求項８記載の発明は、請求項２〜４記載の発明に加えて、  上記２流体供給ノズルと気体供給源とを接続する気体供給管路に、切換手段を介設すると共に、圧力調整手段を介設し、  上記制御手段により、上記圧力調整手段の圧力調整を制御可能に形成してなり、  上記２流体供給ノズルから気体と共に洗浄液を供給する際は、上記圧力調整手段によって低圧に調整された気体を上記切換手段によって供給し、２流体供給ノズルから気体のみを供給する際は、上記圧力調整手段によって洗浄液供給時より高圧に調整された気体を供給するように、形成してなる、ことを特徴とする。
【００１４】
また、請求項９記載の発明は、請求項１記載の発明に加えて、  上記２流体供給ノズルに対して少なくとも基板保持用チャックの保持部材への洗浄時の移動方向側に形成され、保持部材が挿通可能な陽圧室と、  上記陽圧室内に向かって気体を噴射する気体噴射ノズルと、  上記気体噴射ノズルと気体供給源とを接続する管路に介設される切換手段と、  上記切換手段の切換動作を制御する制御手段と、を具備し、  上記２流体供給ノズルから気体と共に洗浄液を上記保持部材の保持溝に向かって噴射する間、上記切換手段によって上記気体供給ノズルから上記陽圧室内に気体を噴射して陽圧室内を陽圧状態にするように形成してなる、ことを特徴とする。
【００１５】
加えて、請求項１０記載の発明は、請求項４記載の発明に加えて、  上記二次乾燥ガス供給ノズルを包囲すると共に、基板保持用チャックの保持部材が挿通可能な陽圧室と、  上記二次乾燥ガス供給ノズルと乾燥ガス供給源とを接続する管路に介設される切換手段と、  上記切換手段の切換動作を制御する制御手段と、を具備し、  ２流体供給ノズルから気体と共に洗浄液を上記保持部材の保持溝に向かって噴射する間、上記切換手段によって上記二次乾燥ガス供給ノズルから上記陽圧室内に乾燥ガスを噴射して陽圧室内を陽圧状態にするように形成してなる、ことを特徴とする。
【００１６】
また、この発明の基板保持用チャックの洗浄・乾燥方法は、複数枚の基板を保持する複数の保持溝を列設する保持部材と、洗浄液を噴射するノズルとを相対的に保持部材の長手方向に沿う水平方向に移動して、保持部材を洗浄及び乾燥する基板保持用チャックの洗浄・乾燥方法を前提とし、
請求項１１記載の発明は、洗浄液及び気体を噴射する２流体供給ノズルから気体と共に洗浄液を上記保持部材の保持溝に向かって噴射する保持溝洗浄工程と、  洗浄液を噴射する洗浄液供給ノズルから洗浄液を上記保持部材の側面に噴射する側面洗浄工程と、を有することを特徴とする。
【００１７】
また、請求項１２記載の発明は、請求項１１記載の発明に加えて、  上記２流体供給ノズルから気体を上記保持部材の保持溝に向かって噴射する保持溝乾燥工程と、  乾燥ガスを噴射する乾燥ガス供給ノズルから乾燥ガスを上記保持部材の保持溝及び側面に噴射する乾燥工程と、を更に有することを特徴とする。
【００１８】
また、請求項１３記載の発明は、請求項１１記載の発明に加えて、  上記２流体供給ノズルから気体を上記保持部材の保持溝に向かって噴射する保持溝乾燥工程と、  一次乾燥ガス供給ノズルから乾燥ガスを上記保持部材の保持溝及び側面に噴射する一次乾燥工程と、  二次乾燥ガス供給ノズルから乾燥ガスを上記保持部材の保持溝、側面下部及び基端部に向かって噴射する二次乾燥工程と、を更に有することを特徴とする。
【００１９】
また、請求項１４記載の発明は、請求項１２，１３記載の発明に加えて、  上記２流体供給ノズルから気体と共に洗浄液を保持部材の保持溝に向かって噴射する保持溝洗浄工程の際の気体の供給圧を、２流体供給ノズルから気体を上記保持部材の保持溝に向かって噴射する保持溝乾燥工程の際の気体の供給圧に対して低圧調整可能にして、洗浄液等の外部への飛散を抑制する、ことを特徴とする。
【００２０】
また、請求項１５記載の発明は、請求項１１〜１３記載の発明に加えて、  上記２流体供給ノズルに対して少なくとも基板保持用チャックの保持部材への洗浄時の移動方向側に、保持部材が挿通可能な陽圧室を形成し、  上記２流体供給ノズルから気体と共に洗浄液を上記保持部材の保持溝に向かって噴射する保持溝洗浄工程の間、上記陽圧室内に気体を噴射して陽圧室内を陽圧状態にして、洗浄液等の外部への飛散を抑制する、ことを特徴とする。
【発明の効果】
【００２１】
この発明の基板保持用チャックの洗浄・乾燥装置及びその方法は、上記のように構成されているので、以下のような効果が得られる。
【００２２】
（１）請求項１，８記載の発明によれば、２流体供給ノズルから気体と共に洗浄液を基板保持用チャックの保持部材の保持溝に向かって噴射した後に、洗浄液供給ノズルから保持部材の側面に向かって洗浄液を噴射して、保持部材の保持溝の洗浄を行うことにより、高圧の洗浄液によって保持溝を洗浄することができ、保持溝から保持部材の側面に流れた例えば薬液やパーティクル等の汚染物を洗浄液供給ノズルから保持部材の側面に噴射される洗浄液によって除去（洗浄）することができる。したがって、基板保持用チャックの保持部材の洗浄処理を短時間に効率よくかつ確実に洗浄することができる。
【００２３】
（２）請求項２記載の発明によれば、２流体供給ノズルから気体と共に洗浄液を保持部材の保持溝に向かって噴射して洗浄を行った後、２流体供給ノズルから気体のみを保持部材の保持溝に向かって噴射すると共に、乾燥ガス供給ノズルから乾燥ガスを保持部材の保持溝及び側面に噴射して乾燥を行うことにより、高圧の洗浄液によって保持溝を洗浄することができ、乾燥処理時には、２流体供給ノズルから気体のみを噴射すると共に、乾燥ガス供給ノズルから乾燥ガスを噴射することができるので、洗浄及び乾燥処理を短時間に効率よくかつ確実に洗浄することができる。したがって、装置全体のスループットの向上を図ることができる。
【００２４】
（３）請求項３，９記載の発明によれば、２流体供給ノズルから気体と共に洗浄液を基板保持用チャックの保持部材の保持溝に向かって噴射した後に、洗浄液供給ノズルから保持部材の側面に向かって洗浄液を噴射して、保持部材の洗浄を行うことにより、高圧の洗浄液によって保持溝を洗浄することができ、保持溝から保持部材の側面に流れた例えば薬液やパーティクル等の汚染物を洗浄液供給ノズルから保持部材の側面に噴射される洗浄液によって除去（洗浄）することができる。また、２流体供給ノズルから気体のみを保持部材の保持溝に向かって噴射すると共に、乾燥ガス供給ノズルから乾燥ガスを保持部材の保持溝及び側面に噴射して乾燥を行うことにより、乾燥処理時には、２流体供給ノズルから気体のみを噴射すると共に、乾燥ガス供給ノズルから乾燥ガスを噴射することができる。したがって、洗浄及び乾燥処理を短時間に効率よくかつ確実に洗浄及び乾燥することができ、装置全体のスループットの向上を図ることができる。
【００２５】
（４）請求項４，１０記載の発明によれば、２流体供給ノズルから気体と共に洗浄液を基板保持用チャックの保持部材の保持溝に向かって噴射した後に、洗浄液供給ノズルから保持部材の側面に向かって洗浄液を噴射して、保持部材の洗浄を行うことにより、高圧の洗浄液によって保持溝を洗浄することができ、保持溝から保持部材の側面に流れた例えば薬液やパーティクル等の汚染物を洗浄液供給ノズルから保持部材の側面に噴射される洗浄液によって除去（洗浄）することができる。また、２流体供給ノズルから気体のみを保持部材の保持溝に向かって噴射すると共に、乾燥ガス供給ノズル（一次乾燥ガス供給ノズル）から乾燥ガスを保持部材の保持溝及び側面に噴射し、かつ、二次乾燥ガス供給ノズルから乾燥ガスを保持部材の保持溝、側面下部及び基端部に向かって噴射して乾燥を行うことにより、乾燥処理時には、２流体供給ノズルから気体のみを保持部材の保持溝に噴射すると共に、乾燥ガス供給ノズル（一次乾燥ガス供給ノズル）から乾燥ガスを保持部材の保持溝及び側面に噴射し、かつ、二次乾燥ガス供給ノズルから乾燥ガスを保持部材の保持溝、側面下部及び基端部に向かって噴射して乾燥処理を行うことができるので、上記（１），（２），（３）に加えて更に、乾燥処理を短時間に効率よくかつ確実に洗浄及び乾燥することができ、装置全体のスループットの向上を図ることができる。
【００２６】
（５）請求項５記載の発明によれば、移動手段による移動の往移動方向の先端側から基端側に向かって、二次乾燥ガス供給ノズル，乾燥ガス供給ノズル，２流体供給ノズル及び洗浄液供給ノズルの順に配置することにより、移動手段の往移動により２流体供給ノズルが洗浄液供給ノズルより先に気体と共に洗浄液を上記保持部材の保持溝に向かって噴射することができ、また、移動手段の復移動により、２流体供給ノズルから気体のみを噴射し、次いで、乾燥ガス供給ノズル，二次乾燥ガス供給ノズルの順に乾燥ガスを噴射して乾燥処理を行うことができる。したがって、移動手段の往復移動によって基板保持用チャックの保持部材の洗浄及び乾燥処理を行うことができるので、上記（４）に加えて、更に洗浄・乾燥処理を短時間に行うことができると共に、装置の小型化及び信頼性の向上を図ることができる。
【００２７】
（６）請求項６記載の発明によれば、２流体供給ノズルの外側部に外気吸引通路を設けると共に、この外気吸引通路に連なって保持部材の外側面に沿って気体を案内する気体案内通路を設けることにより、２流体供給ノズルから噴射される洗浄液及び気体や乾燥に供する気体の噴射時に、外気吸引通路から導入される外気（例えば清浄空気）によって保持部材の保持溝及び側面に沿って洗浄液又は気体が流速を早めた状態で流れるので、洗浄及び乾燥を効率よく行うことができると共に、洗浄液及び気体の有効利用が図れる。
【００２８】
（７）請求項７記載の発明によれば、２流体供給ノズルを、保持部材の保持溝の溝方向に対して傾斜させて配置することにより、洗浄液及び気体や乾燥に供する気体を保持溝の一端側から他端側に流すことができるので、上記（１）〜（４）に加えて、更に保持溝に付着する汚染物の除去（洗浄）を確実にすることができると共に、保持溝に付着する液滴の除去（乾燥）を確実にすることができる。
【００２９】
（８）請求項８，１４記載の発明によれば、２流体供給ノズルから気体と共に洗浄液を供給する際は、２流体供給ノズルから気体のみを供給するときよりも低圧に調整することにより、洗浄処理時の洗浄液と気体の供給圧（噴射圧）を低くして外部への洗浄液等の飛散を抑制することができる。したがって、上記（１）〜（４）に加えて更に、薬液を含む洗浄液が周辺部に飛散し、周辺機器類等に付着して腐食させるのを防止することができる。
【００３０】
（９）請求項９，１０，１５記載の発明によれば、２流体供給ノズルから気体と共に洗浄液を保持部材の保持溝に向かって噴射する保持溝洗浄工程の間、少なくとも保持部材への洗浄時の移動方向側を陽圧状態にすることで、外部への洗浄液等の飛散を抑制することができる。したがって、上記（１）〜（４）に加えて更に、薬液を含む洗浄液が周辺部に飛散し、周辺機器類等に付着して腐食させるのを防止することができる。また、洗浄液と気体の噴射圧を高くすることができるので、洗浄・乾燥の処理時間を短縮することができる。
【発明を実施するための最良の形態】
【００３１】
以下に、この発明の最良の実施形態を添付図面に基づいて詳細に説明する。
【００３２】
図１は、この発明に係る基板保持用チャック（以下にチャックという）の洗浄・乾燥装置を適用した半導体ウエハの洗浄処理システムの一例を示す概略平面図である。
【００３３】
上記洗浄処理システムは、被処理用の基板例えば半導体ウエハＷ（以下にウエハＷという）を水平状態に収納する容器例えばキャリア１を搬入・搬出するための搬入・搬出部２と、ウエハＷを薬液、洗浄液等によって液処理すると共に乾燥処理する処理部３と、搬入・搬出部２と処理部３との間に位置してウエハＷの受渡し、位置調整、姿勢変換及び間隔調整等を行うウエハＷの受渡し部例えばインターフェース部４とで主に構成されている。なお、洗浄処理システムは、クリーンルーム内に設置されており、クリーンルームの天井部から供給される清浄空気のダウンフローの雰囲気下におかれている。
【００３４】
上記搬入・搬出部２は、洗浄処理システムの一側端部にはキャリア搬入部５ａとキャリア搬出部５ｂが併設されると共に、ウエハ搬出入部６が設けられている。この場合、キャリア搬入部５ａとウエハ搬出入部６との間には図示しない搬送機構が配設されており、この搬送機構によってキャリア１がキャリア搬入部５ａからウエハ搬出入部６へ搬送されるように構成されている。
【００３５】
また、上記処理部３には、インターフェース部４と反対側からインターフェース部４に向かって順に、ウエハＷに付着するパーティクルや有機汚染物質を除去する第１薬液処理槽２１ａと洗浄液例えば純水をオーバーフローする第１水洗処理槽２１ｂを具備する第１の処理部２１と、ウエハＷに付着する金属汚染物質を除去する第２薬液処理槽２２ａと洗浄液例えば純水をオーバーフローする第２水洗処理槽２２ｂを具備する第２の処理部２２と、この発明に係るチャックの洗浄・乾燥装置４０を具備する第３の処理部２３と、ウエハＷに付着する酸化膜を除去すると共に、乾燥処理をする洗浄・乾燥処理ユニット２４ａを具備する第４の処理部２４とで構成されている。なお、第３の処理部２３は、必ずしも第２の処理部２２と第４の処理部２４との間に配置する場合に限定されるものではなく、例えば第１の処理部２１の外側に配置するか、あるいは、第４の処理部２４とインターフェース部４の間に配置してもよい。
【００３６】
上記キャリア１は、一側に図示しない開口部を有し、内壁に複数例えば２５枚のウエハＷを、適宜間隔をおいて水平状態に保持する保持溝（図示せず）を有する容器本体（図示せず）と、この容器本体の開口部を開閉する蓋体（図示せず）とで構成されており、後述する蓋開閉装置７によって上記蓋体を開閉できるように構成されている。
【００３７】
上記ウエハ搬出入部６は、上記インターフェース部４に開口しており、その開口部には蓋開閉装置７が配設されている。この蓋開閉装置７によってキャリア１の図示しない蓋体が開放あるいは閉塞されるようになっている。したがって、ウエハ搬出入部６に搬送された未処理のウエハＷを収納するキャリア１の蓋体を蓋開閉装置７によって取り外してキャリア１内のウエハＷを搬出可能にし、全てのウエハＷが搬出された後、再び蓋開閉装置７によって上記蓋体を閉塞することができる。また、上記キャリア待機部からウエハ搬出入部６に搬送された空のキャリア１の蓋体を蓋開閉装置７によって取り外して、キャリア１内へのウエハＷの搬入を可能にし、全てのウエハＷが搬入された後、再び蓋開閉装置７によって蓋体を閉塞することができる。なお、ウエハ搬出入部６の開口部近傍には、キャリ
ア１内に収容されたウエハＷの枚数を検出するマッピングセンサ８が配設されている。
【００３８】
上記インターフェース部４には、複数枚例えば２５枚のウエハＷを水平状態に保持すると共に、ウエハ搬出入部６のキャリア１との間で、水平状態でウエハＷを受け渡すウエハ搬送アーム９と、複数枚例えば５０枚のウエハＷを所定間隔をおいて垂直状態に保持する後述する間隔調整手段例えばピッチチェンジャ（図示せず）と、ウエハ搬送アーム９とピッチチェンジャとの間に位置して、複数枚例えば２５枚のウエハＷを水平状態から垂直状態へ、あるいは垂直状態から水平状態へ変換する姿勢変換装置１０と、垂直状態に変換されたウエハＷに設けられたノッチ（図示せず）を検出する位置検出手段例えばノッチアライナ（図示せず）が配設されている。また、インターフェース部４には、処理部３と連なる搬送路１１が設けられており、この搬送路１１には、ウエハＷを保持して搬送路１１上を搬送し、上記第１，第２及び第４の処理部２１，２２，２４の第１薬液槽２１ａ，第１水洗槽２１ｂ，第２薬液槽２２ａ，第２水洗槽２２ｂ及び洗浄・乾燥処理ユニット２４ａのいずれかにウエハＷを受け渡しするための、この発明におけるチャック３０が移動自在に配設されている。
【００３９】
この場合、上記チャック３０は、ウエハＷの下部を保持する下部保持部材３１と、下部保持部材３１の両側のウエハＷの辺部を保持する一対の側部保持部材３２，３３を具備してなる。この場合、各保持部材３１，３２，３３には複数例えば５０個の保持溝３１ａ，３２ａ，３３ａが列設されている。また、各保持部材３１，３２，３３の基部側には、例えば円板状の飛散防止板３４が、長手方向と直交するように装着されており、チャック洗浄時にチャック駆動部側に洗浄液である純水ＤＩＷが飛散して付着するのを防止している。また、両側部保持部材３２，３３は、ウエハＷを保持しない場合には、下部保持部材３１と同一の水平面上に位置し、ウエハＷを保持する場合には、上方側に円弧状の軌跡を描いて変位してウエハＷの下部両側を保持し得るように構成されている。なお、各保持部材３１，３２，３３は、耐食性及び耐薬品性に優れた部材例えばポリエーテルエーテルケトン（ＰＥＥＫ）やポリクロロトリフルオロエチレン（ＰＣＴＦＥ）等の樹脂にて形成されている。
【００４０】
このように構成されるチャック３０は、未処理の１ロット例えば５０枚のウエハＷをピッチチェンジャから受け取って処理部３に搬送し、処理部３にて適宜処理が施された処理済みの１ロット例えば５０枚のウエハＷをピッチチェンジャに受け渡すように構成されている。この場合、次のロットのウエハＷを処理部３に投入する際、以下のような制御が行われている。
【００４１】
例えば、ウエハＷの処理において、薬液槽２１ａにまず１ロット目を投入する。その後、薬液槽２１ａのロットが搬出されると、直ちに２ロット目が薬液槽２１ａに搬入される。薬液槽２１ａ，２２ａでのオーバーエッチングを防ぐために、チャック３０を次に終了する薬液槽２１ａ，２２ａ上で待機させるように制御する。また、薬液処理終了時間と水洗処理終了時間又はウエハＷの乾燥処理終了時間が重なる場合は、終了直前に薬液の処理時間をチェックして、薬液槽２１ａ，２２ａからのウエハＷの搬出を優先するように制御する。また、薬液槽２１ａ，２２ａと水洗槽２１ｂ，２２ｂを１群と考え、１群には１つのロットしか搬入されないように制御してもよい。この制御により薬液処理の後の水洗槽２１ｂ，２２ｂが必ず空いていることになり、オーバーエッチングを防ぐことができる。
【００４２】
次に、この発明に係るチャックの洗浄・乾燥装置４０について、添付図面を参照して詳細に説明する。
【００４３】
◎第１実施形態
図２は、この発明に係るチャックの洗浄・乾燥装置４０の第１実施形態を示す概略断面図、図３は、第１実施形態における洗浄・乾燥ノズルとチャックを示す概略斜視図である。
【００４４】
上記チャックの洗浄・乾燥装置４０は、図２，図３，図４Ａ，図４Ｂ，図５Ａ〜図５Ｃに示すように、洗浄液例えば純水及び気体例えば窒素（Ｎ2）ガスを保持部材３１，３２，３３（以下に下部保持部材３１で代表する）の保持溝３１ａに向かって噴射する２流体供給ノズル５０と、洗浄液である純水ＤＩＷを保持部材３１の側面３１ｂに向かって噴射する洗浄液供給ノズル６０と、乾燥ガス例えばＮ2ガスを保持部材３１の保持溝３１ａ及び側面３１ｂに向かって噴射する一次乾燥ガス供給ノズル７０と、乾燥ガスであるＮ2ガスを保持部材３１の保持溝３１ａ，側面下部３１ｃ及び基端部すなわち飛散防止板３４に向かって噴射する二次乾燥ガス供給ノズル８０とを具備している。なお、気体をＮ2ガスに代えて清浄空気としてもよい。
【００４５】
この場合、２流体供給ノズル５０は、図４Ａに示すように、保持部材３１の保持溝３１ａの上方に位置するノズル孔５１と連通するＮ2ガス流通路５２と純水流通路５３とを合流する通路を有し、純水流通路５３には第１の開閉弁Ｖ１を介して純水ＤＩＷの供給源９０（以下に純水供給源９０という）が接続されている。また、Ｎ2ガス流通路５２には第２の開閉弁Ｖ２を介してＮ2ガス供給源９１が接続されている。これら第１の開閉弁Ｖ１と第２の開閉弁Ｖ２とで切換手段が構成されており、これら第１及び第２の開閉弁Ｖ１，Ｖ２を後述する制御手段例えばＣＰＵ１００からの制御信号に基づいて開閉制御することによって、２流体供給ノズル５０から純水ＤＩＷ及びＮ2ガス、又は、ＤＩＷのみあるいは、Ｎ2ガスのみが選択的に切り換わって保持部材３１の保持溝３１ａに向かって噴射されるようになっている。なお、この場合、第１の開閉弁Ｖ１と第２の開閉弁Ｖ２に代えて純水ＤＩＷとＮ2ガスの流通とＮ2ガスのみの流通とを選択的に切り換える切換弁を用いてもよい。
【００４６】
このように構成される２流体供給ノズル５０によれば、気体例えばＮ2ガスと共に洗浄液例えば純水ＤＩＷを保持部材３１の保持溝３１ａに向かって噴射することができるので、純水ＤＩＷのみを供給する場合に比べて噴射圧を高くすることができ、保持溝３１ａに付着する薬液やパーティクル等の汚染物を確実に除去（洗浄）することができる。
【００４７】
なお、上記のように構成される２流体供給ノズル５０に代えて、図６に示すように、２流体供給ノズル５０の外側部に外気吸引通路５４を設けると共に、この外気吸引通路５４に連なって保持部材３１の外側面３１ｂに沿って気体を案内する気体案内通路５５を設けることにより、２流体供給ノズル５０から噴射される純水ＤＩＷ及びＮ2ガスやＮ2ガスの噴射時に、外気吸引通路５４から導入される外気（例えばダウンフローＤＦの清浄空気）によって保持部材３１の保持溝３１ａ及び側面３１ｂに沿って純水ＤＩＷやＮ2ガスが流速を早めた状態で流れるので、洗浄及び乾燥を効率よく行うことができると共に、純水ＤＩＷ及びＮ2ガスの有効利用が図れる。
【００４８】
また、上記２流体供給ノズル５０を、図７に示すように、保持部材３１の保持溝３１ａの溝方向に対して傾斜させて配置してもよい。これにより、純水ＤＩＷやＮ2ガスを保持溝３１ａの一端側から他端側に流すことができるので、更に保持溝３１ａに付着する汚染物の除去（洗浄）を確実にすることができると共に、保持溝３１ａに付着する液滴の除去（乾燥）を確実にすることができる。
【００４９】
上記洗浄液供給ノズル６０は、図４Ｂに示すように、保持部材３１を包囲する略アーチ状のノズル体６１と、このノズル体６１を構成する水平部６２と両脚部６３に設けられる純水連通路６４と、各脚部６３における純水連通路６４に連通する２個のノズル孔６５とを具備している。このように構成される洗浄液供給ノズル６０は、第３の開閉弁Ｖ３を介して純水供給源９０に接続されており、純水供給源９０から供給される純水ＤＩＷをノズル孔６５から保持部材３１の両側面３１ｂに向かって噴射するようになっている。
【００５０】
上記一次乾燥ガス供給ノズル７０は、図５Ｂに示すように、洗浄液供給ノズル６０と同様に、保持部材３１を包囲する略アーチ状のノズル体７１と、このノズル体７１を構成する水平部７２と両脚部７３に設けられるＮ2ガス連通路７４と、水平部７２におけるＮ2ガス連通路７４に連通する３個の保持溝噴射ノズル孔７５と、両脚部７３におけるＮ2ガス連通路７４にそれぞれ連通する２個の側面噴射ノズル孔７６と、水平部７２におけるＮ2ガス連通路７４の一側部に連通するＮ2ガス供給口７７とを具備している。
【００５１】
このように構成される一次乾燥ガス供給ノズル７０は、Ｎ2ガス供給口７７に第４の開閉弁Ｖ４を介してＮ2ガス供給源９１が接続されており、Ｎ2ガス供給源９１から供給されるＮ2ガスを保持部材３１の保持溝３１ａ及び両側面３１ｂに向かって噴射するようになっている。
【００５２】
また、上記二次乾燥ガス供給ノズル８０は、図５Ｃに示すように、一次乾燥ガス供給ノズル７０より若干大き目に形成され、保持部材３１及び飛散防止板３４を包囲する略アーチ状のノズル体８１と、このノズル体８１を構成する水平部８２と両脚部８３に設けられるＮ2ガス連通路８４と、水平部８２におけるＮ2ガス連通路８４に連通する５個の保持溝噴射ノズル孔８５と、両脚部８３におけるＮ2ガス連通路８４にそれぞれ連通する２個の側面下部噴射ノズル孔８６と、水平部８２におけるＮ2ガス連通路８４の一側部に連通するＮ2ガス供給口８７とを具備している。
【００５３】
このように構成される二次乾燥ガス供給ノズル８０は、Ｎ2ガス供給口８７に第５の開閉弁Ｖ５を介してＮ2ガス供給源９１が接続されており、Ｎ2ガス供給源９１から供給されるＮ2ガスを保持部材３１の保持溝３１ａ，両側面下部３１ｃ及び保持部材３１の基端部の飛散防止板３４に向かって噴射するようになっている。この場合、二次乾燥ガス供給ノズル８０に設けられる保持溝噴射ノズル孔８５と側面下部噴射ノズル孔８６の数は、一次乾燥ガス供給ノズル７０に設けられる保持溝噴射ノズル孔７５と側面噴射ノズル孔７６の数（５個）より多い７個であるので、一次乾燥ガス供給ノズル７０から噴射されるＮ2ガスの噴射圧より弱い噴射圧でＮ2ガスを噴射して、一次乾燥ガス供給ノズル７０によって一次乾燥された保持溝３１ａ及び側面３１ｂになるべく洗浄液（純水ＤＩＷ）を再付着させないようにして仕上げ乾燥を行うことができる。
【００５４】
上記第１ないし第５の開閉弁Ｖ１〜Ｖ５は、エアオペレーションバルブにて形成されており、それぞれ制御手段であるＣＰＵ１００に電気的に接続されて、ＣＰＵ１００からの制御信号に基づいて開閉制御されるようになっている。なお、第１の開閉弁Ｖ１と第２の開閉弁Ｖ２とで切換手段が構成されている。
【００５５】
また、上記２流体供給ノズル５０，洗浄液供給ノズル６０，一次乾燥ガス供給ノズル７０及び二次乾燥ガス供給ノズル８０は、ノズルボックス２００内に配置されている。
【００５６】
この場合、ノズルボックス２００の下部には、下端が開口するカバー部が延在されており、このカバー部によって、洗浄・乾燥時の洗浄液等が側方周辺部に飛散するのを抑制している。このノズルボックス２００は、移動手段例えばエアシリンダ３００の可動部３０１に連結されて、上記保持部材３１の長手方向に沿う水平方向に往復移動し得るように構成されている。この場合、エアシリンダ３００による移動の往移動方向｛保持部材３１の先端側から基端側への移動方向｝の先端側から基端側に向かって、二次乾燥ガス供給ノズル８０，一次乾燥ガス供給ノズル７０，２流体供給ノズル５０及び洗浄液供給ノズル６０の順に配置されている。このように、エアシリンダ３００による移動の往移動方向｛保持部材３１の先端側から基端側への移動方向｝の先端側から基端側に向かって、二次乾燥ガス供給ノズル８０，一次乾燥ガス供給ノズル７０，２流体供給ノズル５０及び洗浄液供給ノズル６０の順に配置することにより、装置の小型化及び信頼性の向上が図れ、また、エアシリンダ３００によりノズルボックス２００を往復移動させて保持部材３１の洗浄及び乾燥処理を効率よく行うことができる。つまり、ノズルボックス２００の往移動時に、２流体供給ノズル５０からＮ2ガスと共に純水ＤＩＷを保持部材３１の保持溝３１ａに向かって噴射して保持溝３１ａを洗浄した後、洗浄液供給ノズル６０から純水ＤＩＷを保持部材３１の両側面３１ｂに向かって噴射して保持部材３１の洗浄を行うことができる。また、ノズルボックス２００の復移動時に、２流体供給ノズル５０からＮ2ガスのみを保持部材３１の保持溝３１ａに向かって噴射すると共に、一次乾燥ガス供給ノズル７０からＮ2ガスを保持部材３１の保持溝３１ａ及び両側面３１ｂに向かって噴射し、かつ、二次乾燥ガス供給ノズル８０からＮ2ガスを保持部材３１の保持溝３１ａ，側面下部３１ｃ及び基端部の飛散防止板３４に向かって噴射して保持部材３１の乾燥を行うことができる。
【００５７】
なお、エアシリンダ３００の両端部には、ポートＡとポートＢが設けられており、これらポートＡ，Ｂには、４ポート３位置切換弁９２及び流量制御弁９３を介して空気供給源９４が接続されている。この場合、４ポート３位置切換弁９２と流量制御弁９３はＣＰＵ１００に電気的に接続されており、ＣＰＵ１００からの制御信号に基づいて、往移動切換位置９２Ａ，復移動切換位置９２Ｂ及び中立（停止）位置９２Ｃに切換可能及び空気の供給量が制御可能に形成されている。
【００５８】
このように構成することにより、４ポート３位置切換弁９２が往移動切換位置９２Ａに切り換わると、空気供給源９４から供給される空気がエアシリンダ３００のポートＡに供給されると共に、エアシリンダ３００内の空気がポートＢを介して排気されて、ノズルボックス２００が保持部材３１の先端側から基端側に移動（往移動）する。また、４ポート３位置切換弁９２が復移動切換位置９２Ｂに切り換わると、空気供給源９４から供給される空気がエアシリンダ３００のポートＢに供給されると共に、エアシリンダ３００内の空気がポートＡを介して排気されて、ノズルボックス２００が保持部材３１の基端側から先端側に移動（復移動）する。
【００５９】
次に、チャック３０の洗浄・乾燥処理の動作態様について、図４Ａ，図４Ｂ，図５Ａ〜図５Ｃを参照して説明する。
【００６０】
まず、ノズルボックス２００を保持部材３１の先端外方側の待機位置させた状態で、４ポート３位置切換弁９２が往移動切換位置９２Ａに切り換わって、ノズルボックス２００が保持部材３１の先端側から基端側の方向（Ｙ軸−方向）へ移動（往移動）する。この際、ＣＰＵ１００からの制御信号に基づいて第１及び第２の開閉弁Ｖ１，Ｖ２が開放されて、２流体供給ノズル５０から気体すなわちＮ2ガスと共に純水ＤＩＷが保持部材３１の保持溝３１ａに向かって噴射されて保持溝３１ａに付着する薬液やパーティクル等の汚染物が除去される（保持溝洗浄工程）。一方、洗浄液供給ノズル６０から純水ＤＩＷが保持部材３１の側面３１ｂに噴射されて、保持溝３１ａから側面３１ｂに流出した汚染物を除去（洗浄）する（側面洗浄工程）。この洗浄処理（保持溝洗浄工程及び側面洗浄工程）は、保持部材３１の先端から基端までの例えば３００ｍｍの範囲に亘って例えば６ｓｅｃ（秒）行われる。
【００６１】
上記のようにして、洗浄処理（保持溝洗浄工程及び側面洗浄工程）が終了した後、ＣＰＵ１００からの制御信号に基づいて４ポート３位置切換弁９２が中立切換位置９２Ｃに切り換わってノズルボックス２００の移動が停止すると共に、第１及び第３の開閉弁Ｖ１，Ｖ３が閉じる一方、第４及び第５の開閉弁Ｖ４，Ｖ５が開放する。これにより、二次乾燥ガス供給ノズル８０の保持溝噴射ノズル孔８５及び側面下部噴射ノズル孔８６から噴射されるＮ2ガスによって飛散防止板３４に付着する液滴が除去（乾燥）される。
【００６２】
そして、停止してから所定時間例えば２ｓｅｃ（秒）後に、ＣＰＵ１００からの制御信号に基づいて４ポート３位置切換弁９２が復移動切換位置９２Ｂに切り換わって、ノズルボックス２００が保持部材３１の基端側から先端側の方向（Ｙ軸＋方向）へ移動（復移動）する。この際、２流体供給ノズル５０からＮ2ガスのみを保持部材３１の保持溝３１ａに向かって噴射して乾燥し（保持溝乾燥工程）、次に、一次乾燥ガス供給ノズル７０からＮ2ガスを保持部材３１の保持溝３１ａ及び側面３１ｂに向かって噴射して乾燥し（一次乾燥工程）、次いで、二次乾燥ガス供給ノズル８０から一次乾燥ガス供給ノズル７０より弱い噴射圧のＮ2ガスを保持部材３１の保持溝３１ａ、側面下部３１ｃ及び基端部に向かって噴射して乾燥（二次乾燥工程）を行うことにより、乾燥処理を短時間に効率よくかつ確実に洗浄及び乾燥することができ、装置全体のスループットの向上を図ることができる。したがって、従来のように洗浄液供給ノズルと乾燥ガス供給ノズルとを分離して洗浄及び乾燥処理を行うものに比べて短時間に洗浄及び乾燥処理を行うことができる。
【００６３】
◎第２実施形態
図８は、この発明に係るチャックの洗浄・乾燥装置の第２実施形態を示す概略断面図である。
【００６４】
第２実施形態は、洗浄処理時（保持溝洗浄工程）における洗浄液等が周辺部に飛散して、周辺機器類等に付着することにより、周辺機器類等を腐食させるのを防止するようにした場合である。
【００６５】
すなわち、第２実施形態のチャックの洗浄・乾燥装置４０Ａは、図８に示すように、２流体供給ノズル５０と気体供給源であるＮ2ガス供給源９１とを接続する気体供給管路９５に切換手段である開閉弁Ｖ２（第１実施形態における第２の開閉弁）を介設すると共に、この開閉弁Ｖ２の一次側に第１の圧力調整手段である第１のレギュレータＲ１を介設し、気体供給管路９５における開閉弁Ｖ２の一次側及び二次側に接続する分岐管路９６に、補助切換手段である開閉弁Ｖ６（第６の開閉弁）を介設すると共に、開閉弁Ｖ６の一次側に第２の圧力調整手段である第２のレギュレータＲ２を介設してなる。また、開閉弁Ｖ２，Ｖ６とレギュレータＲ１，Ｒ２は、それぞれ制御手段であるＣＰＵ１００と電気的に接続されており、ＣＰＵ１００からの制御信号に基づいて開閉弁Ｖ２，Ｖ６の開閉動作の制御とレギュレータＲ１，Ｒ２の圧力調整が制御されるようになっている。
【００６６】
上記のように構成することにより、保持溝洗浄工程において、２流体供給ノズル５０から気体（例えばＮ2ガス）と共に洗浄液（例えば純水）を、保持部材３１の保持溝３１ａに向かって噴射するときには、開閉弁Ｖ２を閉じて開閉弁Ｖ６を開放すると共に、レギュレータＲ２の圧力調整によりＮ2ガスの供給圧を低圧に調整（例えば０．２ＭＰａ）して、Ｎ2ガスと共に純水ＤＩＷを保持部材３１の保持溝３１ａに向かって噴射することができる。また、保持溝乾燥工程においては、開閉弁Ｖ６を閉じて開閉弁Ｖ２を開放すると共に、レギュレータＲ１の圧力調整によりＮ2ガスの供給圧を高圧に調整（例えば０．３５ＭＰａ）して、Ｎ2ガスのみを保持部材３１の保持溝３１ａに向かって噴射することができる。
【００６７】
したがって、第２実施形態によれば、保持溝洗浄工程において、Ｎ2ガスと純水ＤＩＷの噴射圧を低減することができるので、外部に洗浄液等が飛散するのを抑制し、乾燥時において、充分な供給圧で乾燥することができる。
【００６８】
なお、第２実施形態において、その他の部分は第１実施形態と同じであるので、同一部分には同一符号を付して、説明は省略する。
【００６９】
なお、上記説明では、気体供給管路９５に第１のレギュレータＲ１を介設し、分岐管路９６に第２のレギュレータＲ２を介設して、これらレギュレータＲ１，Ｒ２をＣＰＵ１００によって制御する場合について説明したが、必ずしもこのように構成する必要はない。例えば、上記分岐管路９６と第２のレギュレータＲ２を用いずに、上記第１のレギュレータＲ１を例えば電空レギュレータにて形成すると共に、ＣＰＵ１００によって制御可能にすることによって、上記と同様に、保持溝洗浄工程において、Ｎ2ガスと純水ＤＩＷの噴射圧を低減することができるので、外部に洗浄液等が飛散するのを抑制し、乾燥時において、充分な供給圧で乾燥することができる。
【００７０】
◎第３実施形態
図９は、この発明に係るチャックの洗浄・乾燥装置の第３実施形態を示す概略断面図、図１０は、第３実施形態における保持溝洗浄状態を示す概略断面図である。
【００７１】
第３実施形態は、洗浄処理時（保持溝洗浄工程）における洗浄液等が周辺部に飛散するのを抑制して、周辺機器類等が腐食するのを防止し、かつ、洗浄・乾燥処理時間を短縮して、処理効率の向上を図れるようにした場合である。
【００７２】
すなわち、第３実施形態は、２流体供給ノズル５０に対して少なくともチャック３０の保持部材３１，３２，３３（以下に符号３１で代表する）への洗浄時の移動方向側に、保持部材３１が挿通可能な陽圧室４００を形成し、２流体供給ノズル５０から気体（Ｎ2ガス）と共に洗浄液（例えば純水）を保持部材３１の保持溝３１ａに向かって噴射する保持溝洗浄工程の間、陽圧室４００内にＮ2ガスを噴射して陽圧室４００内を陽圧状態にして、洗浄液等の外部への飛散を抑制すると共に、Ｎ2ガスと純水の噴射圧を高めて洗浄・乾燥の処理時間の短縮を図れるようにした場合である。
【００７３】
この場合、上記陽圧室４００は、図９及び図１０に示すように、上記二次乾燥ガス供給ノズル８０を包囲すると共に、チャック３０の保持部材３１が挿通可能な挿通口４０１が設けられている。また、二次乾燥ガス供給ノズル８０と乾燥ガス供給源であるＮ2ガス供給源９１とを接続する管路９７には、切換手段である開閉弁Ｖ５（第１実施形態における第５の開閉弁）が介設されている。この開閉弁Ｖ５は、ＣＰＵ１００と電気的に接続されており、ＣＰＵ１００からの制御信号に基づいて切換動作し、２流体供給ノズル５０からＮ2ガスと共に純水ＤＩＷを保持部材３１の保持溝３１ａに向かって噴射する間、開閉弁Ｖ５によって二次乾燥ガス供給ノズル８０から陽圧室４００内にＮ2ガスを噴射して陽圧室４００内を陽圧状態にするように形成されている。
【００７４】
上記のように構成することにより、保持溝洗浄工程の間、開閉弁Ｖ５が開放し、二次乾燥ガス供給ノズル８０から陽圧室４００内にＮ2ガスが噴射されて陽圧室４００内が陽圧状態、すなわち、陽圧室４００を挿通する保持部材３１と陽圧室４００との隙間にいわゆるエアーカーテンが形成される。これにより、２流体供給ノズル５０から噴射されるＮ2ガスと純水ＤＩＷの外部への飛散が抑制される。したがって、洗浄液等が外部に飛散して、外部の周辺機器類等に付着し、これら周辺機器類等が腐食するのを防止することができる。また、洗浄液等の外部への飛散が抑制できるので、Ｎ2ガスと純水ＤＩＷの噴射圧を高めることができ、また、乾燥時には、二次乾燥供給ノズル８０からＮ2ガスを噴射するので、洗浄・乾燥の処理時間の短縮を図ることができる。
【００７５】
なお、上記説明では、二次乾燥ガス供給ノズル８０の部位に陽圧室４００を形成した場合について説明したが、陽圧室４００は必ずしも二次乾燥ガス供給ノズル８０の部位に形成する必要はなく、例えば一次乾燥ガス供給ノズル７０の部位に形成してもよく、あるいは、これらノズル７０，８０とは別途に形成し、別途に設けられた気体供給ノズルから陽圧室４００内に気体例えばＮ2ガスを噴射して、陽圧室４００内を陽圧状態にしてもよい。
【００７６】
また、上記説明では、陽圧室４００が、ノズルボックス２００の保持部材３１への移動方向側に設けられる場合について説明したが、ノズルボックス２００の反対側にも同様に、陽圧室４００と気体供給ノズルを設けるようにしてもよい。
【００７７】
なお、第３実施形態において、その他の部分は第１実施形態と同じであるので、同一部分には同一符号を付して、説明は省略する。
【００７８】
◎第４実施形態
図１１は、この発明に係るチャックの洗浄・乾燥装置の第４実施形態を示す概略断面図、図１２は、第４実施形態における保持溝洗浄状態を示す概略断面図である。
【００７９】
上記実施形態では、チャック３０が、ウエハＷの下部を保持する下部保持部材３１と、下部保持部材３１の両側のウエハＷの辺部を保持する一対の側部保持部材３２，３３の３本の保持部材を具備する場合について説明したが、ウエハＷの上部と下部を保持する一対の保持部材を具備するチャックにおいても、上記と同様にして洗浄・乾燥を行うことができる。
【００８０】
すなわち、チャック３０Ａが、図１１及び図１２に示すように、ウエハＷの上部を保持する上部保持溝３４ａ，３５ａと下部を保持する下部保持溝３４ｂ、３５ｂとを有する一対の保持部材３４，３５を具備する場合においても、上記と同様にして洗浄・乾燥を行うことができる。
【００８１】
第４実施形態においては、２流体供給ノズル５０Ａは、保持部材３４，３５の上部保持溝３４ａ，３５ａと下部保持溝３４ｂ、３５ｂに向かってＮ2ガスと純水ＤＩＷを噴射するように２個設けられている。また、第４実施形態において、洗浄液供給ノズル６０、一次乾燥ガス供給ノズル７０及び二次乾燥ガス供給ノズル８０は、第１実施形態と同様に純水ＤＩＷ、Ｎ2ガスを噴射するように形成されている。
【００８２】
なお、第４実施形態において、その他の部分は第１実施形態と同じであるので、同一部分には同一符号を付して、説明は省略する。
【００８３】
なお、第４実施形態においても、第２実施形態や第３実施形態と同様に形成できることは勿論である。
【００８４】
上記実施形態では、チャック３０の保持部材３１に対して２流体供給ノズル５０，洗浄液供給ノズル６０，一次及び二次乾燥ガス供給ノズル７０，８０を配置するノズルボックス２００を移動させて、洗浄・乾燥処理を行う場合について説明したが、ノズルボックス２００を固定し、保持部材３１を、この保持部材３１の長手方向に沿う水平方向に往復移動させてもよく、あるいは、保持部材３１とノズルボックス２００の双方を相対的に保持部材３１の長手方向に沿う水平方向に往復移動させてもよい。
【００８５】
また、上記実施形態では、この発明に係るチャックの洗浄・乾燥装置（方法）を、半導体ウエハの保持用チャックの洗浄・乾燥装置（方法）に適用した場合について説明したが、半導体ウエハ以外の基板例えばＬＣＤ用ガラス基板にも適用できることは勿論である。また、この発明に係るチャックの洗浄・乾燥装置は、上記実施形態で説明したような半導体ウエハの洗浄・乾燥処理システムに適用され、このシステムの一部として使用される場合に限定されず、単独の装置としても使用できる。
【図面の簡単な説明】
【００８６】
【図１】この発明に係る基板保持用チャックの洗浄・乾燥装置を適用した半導体ウエハの洗浄処理システムの一例を示す概略平面図である。
【図２】上記基板保持用チャックの洗浄・乾燥装置の第１実施形態を示す概略構成図である。
【図３】第１実施形態における洗浄・乾燥ノズルとチャックを示す概略斜視図である。
【図４Ａ】この発明における２流体供給ノズルの洗浄状態を示す断面図である。
【図４Ｂ】この発明における洗浄液供給ノズルの洗浄状態を示す断面図である。
【図５Ａ】この発明における２流体供給ノズルの乾燥状態を示す断面図である。
【図５Ｂ】この発明における一次乾燥ガス供給ノズルの乾燥状態を示す断面図である。
【図５Ｃ】この発明における二次乾燥ガス供給ノズルの乾燥状態を示す断面図である。
【図６】上記２流体供給ノズルの別の形態を示す断面図である。
【図７】上記２流体供給ノズルの更に別の形態を示す断面図である。
【図８】この発明に係る基板保持用チャックの洗浄・乾燥装置の第２実施形態を示す概略構成図である。
【図９】この発明に係る基板保持用チャックの洗浄・乾燥装置の第３実施形態を示す概略構成図である。
【図１０】第３実施形態における保持溝洗浄状態を示す概略断面図である。
【図１１】この発明に係る基板保持用チャックの洗浄・乾燥装置の第４実施形態を示す概略構成図である。
【図１２】第４実施形態における保持溝洗浄状態を示す概略断面図である。
【符号の説明】
【００８７】
３０，３０Ａ  基板保持用チャック
３１  下部保持部材
３１ａ  保持溝
３１ｂ  側面
３１ｃ  側面下部
３２，３３  側部保持部材
３２ａ，３３ａ  保持溝
３４，３５  保持部材
３４ａ，３５ａ  上部保持溝
３４ｂ、３５ｂ  下部保持溝
５０  ２流体供給ノズル
５４  外気吸引通路
５５  気体案内通路
６０  洗浄液供給ノズル
７０  一次乾燥ガス供給ノズル
８０  二次乾燥ガス供給ノズル
９０  純水供給源
９１  Ｎ2ガス供給源
９２  ４ポート３位置切換弁
９３  空気供給源
９５  Ｎ2ガス供給管路（気体供給管路）
９６  分岐管路
９７  管路
１００  ＣＰＵ（制御手段）
３００  エアシリンダ（移動手段）
４００  陽圧室
４０１  挿通口
Ｖ１  第１の開閉弁（切換手段）
Ｖ２  第２の開閉弁（切換手段）
Ｖ３  第３の開閉弁
Ｖ４  第４の開閉弁
Ｖ５  第５の開閉弁（切換手段）
Ｖ６  補助開閉弁（切換手段）
Ｒ１，Ｒ２  第１，第２のレギュレータ（第１，第２の圧力調整手段）
Ｗ  半導体ウエハ（基板）
【図１】
2005101524.tif 000003
【図２】
2005101524.tif 000004
【図３】
2005101524.tif 000005
【図４Ａ】
2005101524.tif 000006
【図４Ｂ】
2005101524.tif 000007
【図５Ａ】
2005101524.tif 000008
【図５Ｂ】
2005101524.tif 000009
【図５Ｃ】
2005101524.tif 000010
【図６】
2005101524.tif 000011
【図７】
2005101524.tif 000012
【図８】
2005101524.tif 000013
【図９】
2005101524.tif 000014
【図１０】
2005101524.tif 000015
【図１１】
2005101524.tif 000016
【図１２】
2005101524.tif 000017